(57)【要約】【課題】蓋体を閉蓋状態に保持するフック機構を無くし、その構造を簡素化すると共に、使用性も向上させた化粧料コンパクト容器の提供を目的とする。【解決手段】化粧料収納部１ａが設けられた容器本体１の後壁面１ｅに凹陥部１ｃを設け、この凹陥部１ｃに、後側の下端を後方に突出するように段状に屈曲し、この段状に屈曲された箇所の先端側を当接部４ｂとした下向き略Ｕ字形の板バネ４を収納した。一方、容器本体１に枢着された蓋体２には、その回動支点の下側に、側面視略三角形状の突部２ｂを設け、この突部２ｂを前記当接部４ｂに当接させ、蓋体２に閉蓋付勢力を作用させることとし、かつ、ある程度開放された後は、この突部２ｂが板バネ４と接触せず、その回動動作を妨げないようにした。【選択図】図２
2005205009.tif 000002
【特許請求の範囲】
【請求項１】
容器本体の後壁面に設けられた凹陥部に下向き略Ｕ字形の板バネが収納され、該板バネで蓋体の回動支点の下側に突設された突部が押圧されることにより、蓋体が閉蓋付勢されるようになされた化粧料コンパクト容器において、
上記板バネの片側が後方に突出するように段状に屈曲され、この段状に屈曲された箇所の下端側を、蓋体の突部と接する当接部となし、閉蓋近傍位置でのみ蓋体に付勢力が作用し、開蓋後は、その回動を妨げないようになされたことを特徴とする化粧料コンパクト容器。
【請求項２】
上記突部が、蓋体の回動支点の下方に突出するように取り付けられた別部材で構成されていることを特徴とする請求項１記載の化粧料コンパクト容器。
【発明の詳細な説明】
【技術分野】
【０００１】
本発明は、化粧料を収納するコンパクト容器に関し、詳しくは、蓋体をバネの付勢力で閉蓋することにより、蓋体を閉蓋状態に保持するフック機構を無くし、その構造を簡素化すると共に、使用性も向上させた化粧料コンパクト容器に関する。
【背景技術】
【０００２】
従来、この種の化粧料コンパクト容器としては、合成樹脂で形成された容器本体の後方に可撓性を有するテール部を延設し、このテール部を容器本体に枢着された蓋体の蝶板下端部に当接させることにより、所定回動位置で蓋体に回動付勢力を与え、閉蓋状態を保持できるようにしたものがあった。（例えば、特許文献１参照）。
【０００３】
また、この他に容器本体の後部中央に凹部を設け、この凹部に、略へ字形の板バネをその一端を周壁に固定することにより、後方下向き傾斜状に取り付けると共に、蓋体を回動可能に枢着し、かつ、この蓋体の枢着部分を横長の三角柱状とすることにより、蓋体の回動に伴ってこの三角柱状の部分を板バネとせり合わせ、所定の回動位置で蓋体に回動付勢力が作用するようにしたものもあった。（例えば、特許文献２参照）。
【特許文献１】実公昭６３−１６７号公報（第１−２頁、第２図）
【特許文献２】実用新案登録第２５０８５３号公報（第２頁、第３図）
【発明の開示】
【発明が解決しようとする課題】
【０００４】
上述した従来の化粧料コンパクト容器のうち、前者の特許文献１に示されたものは、蓋体に回動付勢力を与えるテール部が、合成樹脂で容器本体に一体成形されているので、弾性が弱く、圧力がかかった状態で長時間放置すると変形し、その機能が損なわれるおそれがあった。また、テール部とこのテール部とせり合う蓋体の蝶板下端部が共に、合成樹脂で形成されているため、蓋体の開閉を繰り返すと、このせり合い部分が摩滅するおそれがあり、経年変化による材質の劣化と相まって寿命が短いという問題点もあった。
【０００５】
後者の特許文献２に示されたものは、金属製の板バネを用いているので、上記のような問題点は生じないものの、開蓋時に板バネが使用者側に露呈するので、見苦しく、デザイン性が重視されるこの種の容器としては、相応しい構造ではなかった。また、傾斜板状に後方に突出した板バネが、蓋体の三角柱状の枢着部分と接して、この蓋体に回動付勢力を作用させるようになっているので、蓋体の回動範囲が限られ、使用時や化粧料収納中皿の取り替え時などに、蓋体を大きく開放することができないという問題点も有していた。
【０００６】
本発明は、上記従来の化粧料コンパクト容器が有していた問題点の解決を、課題とする。
【課題を解決するための手段】
【０００７】
上記の問題点を解決するために、本発明のうち、請求項１記載の発明は、容器本体の後壁面に設けられた凹陥部に下向き略Ｕ字形の板バネが収納され、該板バネで蓋体の回動支点の下側に突設された突部が押圧されることにより、蓋体が閉蓋付勢されるようになされた化粧料コンパクト容器において、上記板バネの片側を、後方に突出するように段状に屈曲し、この段状に屈曲された箇所の下端側を蓋体の突部と接する当接部とした。このことで、閉蓋近傍位置でのみ、蓋体に付勢力が作用し、開蓋後は、その回動を妨げないようになされたことを特徴とする。
【０００８】
請求項２記載の発明は、上記請求項１記載の発明の構成中、板バネの当接部と接する蓋体の突部を、蓋体の回動支点の下方に突出するように取り付けられた別部材で構成されたものと限定したことを特徴とする。
【発明の効果】
【０００９】
本発明のうち、請求項１記載の発明では、板バネの後側の下端を、後方に突出するように段状に屈曲し、この段状に屈曲された先端側を、蓋体の突部と接する当接部としたので、閉蓋近傍位置でのみ、蓋体に付勢力が作用する。よって、閉蓋時に蓋体が不用意に開放しないように保持されるにも関わらず、その開閉操作が円滑に行え、操作性が向上するという効果がある。また、開蓋後は、突部に板バネが接しないので、その開放が妨げられず、蓋体が大きく開放され、使用性が向上するという効果もある。さらにこの板バネは、凹陥部に収納され、この凹陥部の外側には、蓋体の軸受け突部が位置しているので、板バネが外部に露呈せず、この種の容器として重要なデザイン性の向上も図られるという効果がある。
【００１０】
また、請求項２記載の発明では、板バネと接する突部を蓋体と別体で構成したので、この突部を硬質材として開閉操作に伴う摩滅を低減し、その耐久性を向上させることができると共に、たとえ摩滅が生じたとしても、突部を構成した部材を取り替えれば、その機能を回復させることができる。さらに、このように突部と蓋体を別部材とすることにより、突部の機能を損なうことなく、この種の容器として相応しい樹脂材料の使用が可能になり、質感の高いコンパクト容器の提供が可能になるという効果もある。
【発明を実施するための最良の形態】
【００１１】
以下、本発明を図示した実施の形態に基づき詳細に説明する。
【００１２】
図１は、本発明に係る化粧料コンパクト容器の実施形態を示した簡略平面図、図２は、その縦断面図である。この化粧料コンパクト容器は、従来公知のものと同様に、化粧料収納部１ａが設けられたトレイ状の容器本体１の後部（図２において右側）に、この容器本体１の上面を開閉し得るように蓋体２を枢着したものであり、容器本体１の後部には、蓋体２の回動支点となる軸３を枢支する支持部１ｂ，１ｂが左右対称に設けられ、この支持部１ｂ，１ｂ間に蓋体２の後部下方に設けられた軸受け突部２ａが嵌まり込むようになっている。
【００１３】
なお、上記軸３は、別途、用意されたピンで構成されたものあっても、あるいは凹凸嵌合によるものであっても良い。
【００１４】
ここにおいて本発明の化粧料コンパクト容器では、容器本体１の後壁面１ｅ、即ち、蓋体２の軸受け突部２ａで覆われる箇所に凹陥部１ｃを設け、この凹陥部１ｃに下向き略Ｕ字形の板バネ４を収納している。
【００１５】
上記板バネ４は、その後側（図２において右側）の下端を、後方に突出するように段状に屈曲し、形成された段部４ａの下側（図２において下端側）を後述する蓋体２の突部２ｂと当接する当接部４ｂとしたものであり、金属あるいは弾性を有する合成樹脂で形成されている。
【００１６】
一方、容器本体１に回動可能に枢着された蓋体２には、その回動支点の下側、即ち、軸受け突部２ａの下方に、上述した当接部４ｂと当接する側面視略三角形状の突部２ｂが、閉蓋時にその前面が垂直となるように突設されている。なお、この突部２ｂは、蓋体２と一体成形されたものであっても良いが、図５に示したように、軸受け突部２ａに空所２ｃを設け、この空所２ｃに所定形状の部材５を嵌め込むことにより、形成されるようにしてもよく、このようにすれば、摩滅し難い硬質の合成樹脂など、最適の材料を用いて板バネ４と摺設する突部５ａを形成することができ、都合が良い。
【００１７】
本発明の化粧料コンパクト容器は、上記の構成を有している。
【００１８】
なお、図２において符号１ｄは、凹陥部１ｃの内周に設けられ、収納された板バネ４を逸脱不可に係止保持する係止突起を示している。
【００１９】
次に上記構成を有する本発明の化粧料コンパクト容器の開閉時の各部の動きについて述べると、まず、図２に示した閉蓋状態では、凹陥部１ｃに収納された板バネ４は、その後端の当接部４ｂが軸受け突部２ａの下端に設けられた突部２ｃと接し、圧縮された状態にある。従って、この板バネ４と接した蓋体２は、その回動支点の下側がこの板バネ４で外方に押圧され、常に閉蓋方向に回動付勢されていることとなる。よって、この蓋体２は何らのフック機構を用いることなく、閉蓋状態に保持され、不用意な開放が防止される。
【００２０】
そして、このように閉蓋保持されている蓋体２を開放するには、蓋体２の先端側（図２において左側）を持って容器本体１と離れる方向に強制的に引き上げれば良く、このことで蓋体２は、軸３を中心に時計回りに回動し、まず、突部２ｂが板バネ４の当接部４ｂを押し付け、いっそう強い弾発力が作用することとなるが、この弾発力に抗して蓋体２をさらに回動させれば、やがて突部２ｂが板バネ４の段部４ａを乗り越え、突部２ｂの下側がこの板バネ４で押し上げられることとなる。よって、蓋体２は以前と反対に開放される方向に、この板バネ４で付勢される。
【００２１】
しかしながら、この開放付勢力が作用するのは、圧縮されていた板バネ４が現状復帰する範囲にすぎず、すぐに突部２ｂは、図３に示すように板バネ４の段部４ａ上に位置し、板バネ４の表面から離れる。よって、蓋体２には、板バネ４の付勢力が作用せず、蓋体２は軸３を中心に自由に回動することができ、容器本体１の上面を使用可能な状態に開放することができるものである。
【００２２】
なお、この時、本発明の化粧料コンパクト容器では、板バネ４の後側が段状に屈曲され、回動支点の下側に突設された突部４ｂのみが、この板バネ４と接するようにしているので、蓋体２の開放に伴って板バネ４が蓋体２側と接するおそれはなく、蓋体２は、図４に示すように大きく開放することができる。
【００２３】
以上のようにして、蓋体２が開放され、コンパクト容器の使用が可能となるものである。
【００２４】
また、使用後、蓋体２を閉めるには、上記と全く反対に蓋体２を回動させれば良く、このことで蓋体２は、容器本体１の上面を覆う方向に移動し、容器本体１の上面を覆った閉蓋状態で板バネ４によりこの状態が維持されるように回動付勢されるようになっている。なお、この蓋体２の回動の際、突部２ｂが板バネ４の段部４ａに接すると、一旦、この状態で蓋体２が保持されることとなるが、この状態から蓋体２を強く下方に押し付ければ、突部２ｂが板バネ４を押圧して内方に押し込みつつ段部４ａを乗り越える。そして、このように突部２ｂが段部４ａを乗り越えると、今度は押し込まれた板バネ４の当接部４ｂが突部２ｂの内側（蓋体の内方側）と接して、蓋体２を閉蓋する方向に付勢するように作用するものである。
【００２５】
以上のようにして本発明の化粧料コンパクト容器では、蓋体の開閉がなされ、使用に供されるものである。
【００２６】
図５は、本発明の他の実施形態を示した要部の縦断面図である。この実施形態の化粧料コンパクト容器では、板バネ４の当接部４ｂと接する蓋体２側の突部２ｂを蓋体２と別部材５で構成し、蓋体２の軸受け突部２ａに設けられた空所２ｃに、この別部材５を嵌め込むことにより、板バネ４と摺接する突部５ａを形成することとしたものであり、他の構成は、前記の実施形態のものと何ら変わるところはない。従って、その働きも上記のものと全く同じであり、同様に機能する。
【図面の簡単な説明】
【００２７】
【図１】本発明に係る化粧料コンパクト容器の実施形態を示した簡略平面図である。
【図２】図１のＡ−Ａ線の断面図である。
【図３】開蓋途中の状態を示した要部断面図である。
【図４】蓋体を全開にした状態を示した要部断面図である。
【図５】本発明の他の実施形態を示した要部の拡大断面図である。
【符号の説明】
【００２８】
１  容器本体
１ａ  化粧料収納部
１ｂ  支持部
１ｃ  凹陥部
１ｄ  係止突起
１ｅ  後壁面
２  蓋体
２ａ  軸受け突部
２ｂ  突部
２ｃ  空所
３  軸
４  板バネ
４ａ  段部
４ｂ  当接部
５  別部材
５ａ  突部
【図１】
2005205009.tif 000003
【図２】
2005205009.tif 000004
【図３】
2005205009.tif 000005
【図４】
2005205009.tif 000006
【図５】
2005205009.tif 000007